(57)【要約】【課題】安全で使い易く、梱包時や陳列時に嵩張ることのない把手付き容器を提供する。【解決手段】本発明は、バンド2のドラム2aの端部2bに連結された2つのバンド本体2cを有し、バンド本体2cの端部をそれぞれ容器本体の側壁に固定することで当該側壁との間に隙間を形成するにあたり、把手本体3の棚壁3aに、バンド本体2cを巻き掛けた状態のドラム2aを回転可能に支持し、その引き出しによって、当該巻き掛け状態を解放してバンド2及び把手本体3からなる把手と側壁との間に手を入れるための隙間を形成する。【選択図】図４
2010036916.tif 000002
【特許請求の範囲】
【請求項１】
無終端リングに連結され当該無終端リングと共に変形の可能な２つの帯状の本体を有し、この本体の端部をそれぞれ容器本体の側壁に固定するバンドと、このバンドの本体をそれぞれ無終端リングに乗り上がって巻き掛けられた状態で当該無終端リングを回転可能に支持する棚部を有し、その引き出しによって、当該巻き掛け状態を解放して側壁との間にバンドと共に隙間を形成する把手本体とを備えることを特徴とする把手付き容器。
【請求項２】
請求項１において、把手本体が扁平な部材であることを特徴とする把手付き容器。
【請求項３】
請求項１又は２において、把手本体は、巻き付けにより貫通孔が形成されるシートからなり、その貫通孔の内側に存在する当該シートの一部が前記棚部を構成するものであることを特徴とする把手付き容器。
【発明の詳細な説明】
【技術分野】
【０００１】
本発明は、把手付き容器に関するものである。
【背景技術】
【０００２】
容器と共に把手を一体に設ける煩雑さを解消することを目的に、従来の容器としては、例えば、容器の外周に巻き付けたシュリンクラベルの張り合わせ部分に、手入れ孔を設けたものがある（例えば、特許文献１参照）。
【特許文献１】特開２００６−１１１３１２号公報
【発明の開示】
【発明が解決しようとする課題】
【０００３】
しかしながら、従来の容器は、容器に巻き付けたラベルの張り合わせ部分を把手としたことから、持ち手部分（例えば、手入れ孔を形作るラベルのエッジ）が鋭利になって使い難いという問題がある。しかも、こうした把手は梱包時や陳列時に他物に引っ掛かったりして取り扱いに不都合が生じる可能性がある。
【０００４】
これに対して、把手を折り曲げてしまうことも考えられるが、把手そのものがラベルで構成されるため、折り曲げ状態を維持することが難しく、折り曲げ部分に対する強度的な問題も否めない。
【０００５】
本発明の目的とするところは、安全で使い易く、梱包時や陳列時に嵩張ることのない把手付き容器を提供することにある。
【課題を解決するための手段】
【０００６】
本発明である把手付き容器は、無終端リングに連結され当該無終端リングと共に変形の可能な２つの帯状の本体を有し、この本体の端部をそれぞれ容器本体の側壁に固定するバンドと、このバンドの本体をそれぞれ無終端リングに乗り上がって巻き掛けられた状態で当該無終端リングを回転可能に支持する棚部を有し、その引き出しによって、当該巻き掛け状態を解放して側壁との間にバンドと共に隙間を形成する把手本体とを備えるものである。
【０００７】
２つの帯状の本体を無終端リングに連結するに際しては、無終端リングの中心を挟んで対向する端部に設けることが好ましいが、当該本体を無終端リングに乗り上げて巻き掛けることを考慮すれば、無終端リングを押し潰して扁平な形状にしたときに、その扁平領域のうちの中心にあって、互いに対向する外面領域に、帯状の本体の一方の端部領域が連結されるように構成することが好ましい。この場合、バンドの本体を引き出したとき、当該本体と無終端リングとの連結部は、扁平な無終端リングの長手方向に存在する２つの端部領域のうち、当該無終端リングの短手方向を挟んで互いに対向する位置まで移動する。
【０００８】
本発明において、把手本体は、扁平な部材であることが好ましい。また、本発明では、把手本体として、例えば、把手本体の上部を構成する部分と下部を構成する部分との間に間隔を空けて棚部を構成する部分を設けた一方の側部を構成する第１の側壁部材と、この第１の側壁部材に組み付けられ、他方の側部を構成する第２の側部材とからなるものとすることもできるが、好適には、巻き付けにより貫通孔が形成されるシートからなり、その貫通孔の内側に存在する当該シートの一部が前記棚部を構成するものを採用する。
【発明の効果】
【０００９】
本発明では、把手の基本構造としてバンドを用い、これに把手本体を繋いだことから、把手として安全で使い易い。また、把手を用いるまでの間は、かかるバンドの本体が把手本体内に収納されることから、容器全体のスリム化を図ることができる。これにより、梱包時や陳列時に嵩張ることなく、効率的な保管・収納が可能となる。
【００１０】
特に、本発明において、把手本体として扁平な部材を用いれば、容器全体のスリム化に更に有効である。加えて、把手本体として、巻き付けにより貫通孔が形成されるシートからなり、その内側に存在する当該シートの一部が前記棚部を構成するものを採用すれば、少ない部品点数でより効率的な扁平化を図ることができる。
【発明を実施するための最良の形態】
【００１１】
以下、図面を参照して、本発明の一形態を詳細に説明する。
【００１２】
図１，２はそれぞれ、本発明の一形態である把手付きボトル１の把手引き出し前の状態と、把手引き出し後の状態とを上側から示す斜視図である。また、図３及び４はそれぞれ、同形態にかかる、把手引き出し前の状態と、把手引き出し前の状態とを示す要部断面図である。更に、図５は、同形態にかかる、把手本体の要部を透視状態で示す斜視図である。
【００１３】
符号１０は、容器本体である角柱ボトル（以下、「ボトル本体」という）である。ボトル本体１０は、４つの平坦な側壁（以下、「ボトル側壁」という）１１を有し、例えばＰＥＴ等の合成樹脂より二軸延伸ブロー成形される。
【００１４】
符号２は、無終端リングとしてのドラム２ａに連結され当該ドラム２ａと共に変形の可能な２つの帯状の本体（以下、「バンド本体」という）２ｃを有するバンドである。２つのバンド本体２ｃをドラム２ａに連結するに際しては、ドラム２ａの中心を挟んで対向する端部に設けることが好ましいが、本形態では、バンド本体２ｃがドラム２ａに乗り上げて巻き掛けることを考慮し、図３に示すように、ドラム２ａを押し潰して扁平な形状にしたときに、ドラム２ａの扁平領域のうちの中心にあって、互いに対向する外面領域２ｂに、バンド本体２ｃの一方の端部領域２ｅが連結されるように構成する。この場合、端部領域２ｅは、バンド本体２ｃを引き出したとき、図４に示すように、扁平ドラム２ａの長手方向に存在する２つの端部領域のうち、扁平ドラム２ａの短手方向を挟んで互いに対向する位置まで移動する。
【００１５】
即ち、バンド２は、把手Ｇの基本構造をなし、図１等に示すように、バンド本体２ｃの他方の端部２ｄがそれぞれ、ボトル側壁１１に接着等により固定される。これにより、バンド２及び把手本体３からなる把手Ｇは、図２に示すように、ボトル側壁１１との間に、使用者が手を入れるための隙間Ｃを形成する。
【００１６】
本形態のバンド２は、ドラム２ａ及びバンド本体２ｃを別パーツとして構成し、ドラム２ａ及びバンド本体２ｃをそれぞれ、例えば、紙シートや樹脂フィルム、樹脂シートや射出成形品（薄肉板）等で構成する。但し、本発明に従えば、同様のシート、フィルム又は射出成形品として、ドラム２ａ及びバンド本体２ｃを一体に形成してもよい。即ち、把手Ｇは、バンド２に対して把手本体３を連結したものとして構成される。
【００１７】
符号３は、扁平な部材からなる把手本体である。把手本体３は、図５に示すように、巻き付けにより貫通孔Ａが形成されるシートＳからなり、その貫通孔Ａの内側に存在する当該シートＳの一部が扁平なプレート状の棚壁３ａを構成する。
【００１８】
棚壁３ａは、図３に示すように、バンド本体２ｃがそれぞれドラム２ａに乗り上がって巻き掛けられた状態で当該ドラム２ａを扁平な状態で回転可能に支持する。このため、把手本体３を引っ張ってバンド本体２ｃを引き出す前のボトル１全体は、図１に示すように、スリムな状態にある。なお、本形態では、バンド本体２ｃの巻き掛けは、ドラム２ａをほぼ半回転させた状態で収納されているが、かかる巻き掛けは、半回転以上させた状態とすることも可能である。
【００１９】
また、本形態に係る棚壁３ａは、図５に示すように、その貫通孔Ａの開口部両側（バンド長手方向）にそれぞれ、ドラム２ａを引っ掛ける切り欠き部３ｅが形成されている。これにより、ドラム２ａは、バンド幅方向（側壁３ｄ方向）に対してスライドすることなく位置決めされるので、棚壁３ａに対して効率的な回転を実現することができる。
【００２０】
これに対して、図２に示すように、使用者が把手本体３を摘んでボトル側壁１１側から矢印Ｆ1に示す方向に引っ張り出せば、図３の状態にあるドラム２ａが棚壁３ａ周りに回転するため、図４の矢印Ｆ2に示すように、バンド２自身（バンド本体２ｃ）が引き出されることによって、かかる巻き掛け状態が解放されて、バンド２とボトル側壁１１との間には、指を通して把手本体３を掴むための隙間Ｃが形成される。
【００２１】
なお、把手本体３も、折り曲げ等の変形が可能なものが好ましい。このため、シートＳには、紙シートや樹脂シートを採用することが好ましい。また、射出成形により形成された柔軟な板状部材を使用することも可能である。更に、本発明に従えば、把手本体３として、一方の側壁３ｄを、上壁３ｂと下壁３ｃとの間に間隔を空けて棚壁３ａを設けた第１の側壁部材として構成すると共に、他方の側壁３ｄを、第１の側壁部材に組み付けられる第２の側壁部材として構成することもできる。但し、本発明は、保形性を有する剛性の高い材料で把手本体３を構成することを否定するものではない。
【００２２】
即ち、把手Ｇは、バンド２と把手本体３とからなる。これにより、把手１は、把手本体３を引き出す前のボトル全体は、図１に示すように、スリムな状態にある。
【００２３】
これに対して、図２に示すように、使用者が把手本体３を摘んでボトル側壁１１側から矢印Ｆ1に示す方向に引き出せば、図３の矢印Ｆ2に示すように、バンド２自身（バンド本体２ｃ）の引張りによって、かかる折り畳み状態が解放されて、バンド２と側壁１１との間には、指を通して把手本体３を掴むための隙間Ｃが形成される。
【００２４】
即ち、本発明では、把手Ｇの基本構造としてバンド２を用い、これに把手本体３を繋いだことから、把手Ｇとして安全で使い易い。また、把手Ｇを用いるまでの間は、かかるバンド２が把手本体３内に収納されることから、ボトル１全体のスリム化を図ることができる。これにより、梱包時や陳列時に嵩張ることなく、効率的な保管・収納が可能となる。
【００２５】
加えて、本発明では、把手Ｇの基本構造となるバンド２をボトル側壁１１に設け、当該側壁１１を平坦面としたことにより、ボトル本体１０そのものの充填容量を大きく確保することができる。
【００２６】
特に、本形態の如く、把手本体３として扁平な部材を用いれば、ボトル１全体のスリム化に更に有効である。加えて、本形態の如く、把手本体３として、巻き付けにより貫通孔Ａが形成されるシートＳからなり、その内側に存在する当該シートＳの一部が棚壁３ａを構成するものを採用すれば、少ない部品点数でより効率的な扁平化を図ることができる。
【００２７】
上述したところは、本発明の好適な形態を説明するものであるが、特許請求の範囲において、種々の変更を加えることができる。例えば、把手本体３の外側には、紙シートや樹脂フィルム、樹脂シートや射出成形品（薄肉板）等により、更に保護カバーを設けることができる。また、ボトルの断面形状も四角形状に限定されず、丸形状、楕円形状、多角形状、その他形状とすることも可能である。
【産業上の利用可能性】
【００２８】
本発明は、主としてボトルを本体とするものに採用されるが、これに限定されるものではない。また、容器の内容量についても、好適には大型の容器に採用されるが、これに限定されるものではなく、更に、内容物についても、飲料等の様々なものを内容物とすることができる。
【図面の簡単な説明】
【００２９】
【図１】本発明の一形態である把手付きボトルの把手引き出し前の状態を上側から示す斜視図である。
【図２】同形態の把手引き出し後の状態を上側から示す斜視図である。
【図３】同形態にかかる、把手引き出し前の状態を示す要部断面図である。
【図４】同形態にかかる、把手引き出し前の状態を示す要部断面図である。
【図５】同形態にかかる、把手本体の要部を透視状態で示す斜視図である。
【符号の説明】
【００３０】
１    把手付きボトル
２    バンド
２ａ  ドラム（無終端リング）
２ｂ  ドラム側外面領域
２ｃ  バンド本体
２ｄ  バンド本体端部
２ｅ  バンド本体端部
３    把手本体
３ａ  棚壁
３ｂ  上壁
３ｃ  下壁
３ｄ  側壁
３ｅ  棚壁の切り欠き部
１０  ボトル本体
１１  ボトル側壁
Ｃ    手を入れるための隙間
Ｇ    把手
【図１】
2010036916.tif 000003
【図２】
2010036916.tif 000004
【図３】
2010036916.tif 000005
【図４】
2010036916.tif 000006
【図５】
2010036916.tif 000007